(57)【要約】【課題】薄型表示装置などの支持対象物をスイベル方向とチルト方向とに回動可能な小型なヒンジ装置を提供する。【解決手段】スイベルヒンジ機構２０を介してスイベル方向に回動自在にベース板１３の上側に可動板２１を設け、チルトヒンジ機構３０を介してチルト方向に回動自在に可動板２１の上側に可動ブラケット３１を設け、チルトヒンジ機構３０として、１対の縦壁部３３ａを背中合わせにして可動板２１上に固定される固定ブラケット３３と、固定ブラケット３３の縦壁部３３ａの両側に配置される１対の縦壁部３１ａを有する可動ブラケット３１と、固定ブラケット３３の縦壁部３３ａと可動ブラケット３１の縦壁部３１ａとを挿通するチルト軸３５と、可動ブラケット３１の回動操作に操作抵抗を付与する第２バネ部材３７とを備えたものを用いた。【選択図】図２
2012018251.tif 000002
【特許請求の範囲】
【請求項１】
スイベルヒンジ機構を介してスイベル方向に回動自在にベース板の上側に可動板を設け、
チルトヒンジ機構を介してチルト方向に回動自在に前記可動板の上側に可動ブラケットを設けた、
ことを特徴とするヒンジ装置。
【請求項２】
前記スイベルヒンジ機構として、前記ベース板を貫通して下方へ延びる、可動板に設けたスイベル軸と、前記スイベル軸の下端のフランジ部と可動板間に介装され、前記スイベル軸を中心とした可動板の回動操作に操作抵抗を付与する第１バネ部材とを備えたものを用い、
前記チルトヒンジ機構として、１対の縦壁部を背中合わせにして可動板上に固定される固定ブラケットと、前記固定ブラケットの縦壁部の両側に配置される１対の縦壁部を有する可動ブラケットと、前記固定ブラケットの縦壁部と前記可動ブラケットの縦壁部とを挿通するチルト軸と、前記チルト軸の少なくとも一端のフランジ部と可動ブラケットの縦壁部間に介装され、前記可動ブラケットの回動操作に操作抵抗を付与する第２バネ部材とを備えたものを用いた、
請求項１記載のヒンジ装置。
【請求項３】
前記ベース板と可動板とを略同径の円板状に形成し、前記可動板に対する固定ブラケットの取付部を可動板と略同径或いはやや小径の半円板状に形成した請求項２記載のヒンジ装置。
【請求項４】
前記可動ブラケットの縦壁部の下端部に、前記可動板に対する固定ブラケットの取付部の上面に当接して、前記チルト軸を中心とした可動ブラケットの回動範囲を規制する規制部を形成した請求項２又は３記載のヒンジ装置。
【請求項５】
前記可動板とベース板の一方にスイベル軸を中心とした一定角度の範囲にわたる規制孔を形成し、他方に規制孔に挿入される係止突起を形成した請求項２〜４のいずれか１項記載のヒンジ装置。
【請求項６】
前記チルト軸を固定ブラケットの縦壁部に相対回転不能に挿通するとともに、前記可動ブラケットの縦壁部に相対回転自在に挿通し、前記チルト軸の両端部のフランジ部と可動ブラケット間に、前記チルト軸に対して相対回転不能に座金をそれぞれ介装した請求項２〜５のいずれか１項記載のヒンジ装置。
【請求項７】
前記固定ブラケットの縦壁部と可動ブラケットの縦壁部とに、相互に凹凸嵌合する環状突部と環状凹部をチルト軸と同心状にプレス成形により形成した請求項２〜６のいずれか１項記載のヒンジ装置。
【請求項８】
前記固定ブラケット及び可動ブラケットを縦壁部と取付部とを有するＬ字状に形成し、前記固定ブラケットの取付部と、前記可動ブラケットの取付部間に、前記チルト軸の端部を覆うように合成樹脂材料からなるガタ防止用のホルダ部材を設けた請求項２〜７のいずれか１項記載のヒンジ装置。
【発明の詳細な説明】
【技術分野】
【０００１】
本発明は、液晶テレビやプラズマテレビなどの薄型表示装置を支持するのに好適なヒンジ装置に関する。
【背景技術】
【０００２】
液晶テレビやプラズマテレビなどの薄型表示装置をチルト方向及びスイベル方向に回動自在に支持するヒンジ装置として、水平板部と該水平板部の両端からそれぞれ上方に延設された右側板部および左側板部とからなる断面コ字形の回動子を備え、前記水平板部と設置台の上端とをスイベルヒンジ機構により接続し、前記右側板部および左側板部と前記薄型表示装置の本体部とをチルトヒンジ機構により接続したヒンジ装置が提案されている（例えば、特許文献１参照。）。
【先行技術文献】
【特許文献】
【０００３】
【特許文献１】特開２００５−２７５１８３号公報
【発明の概要】
【発明が解決しようとする課題】
【０００４】
ところで、前記特許文献１記載のヒンジ装置では、断面コ字形の回転子の左板部及び右板部にチルトヒンジ機構をそれぞれ設ける関係上、ヒンジ装置が左右方向に大型になり、薄型表示装置のデザイン上の自由度が低下したり、部品点数が増えてヒンジ装置の製作コストが高くなったりするという問題があった。
【０００５】
本発明の目的は、薄型表示装置などの支持対象物をスイベル方向とチルト方向とに回動可能な小型なヒンジ装置を提供することである。
【課題を解決するための手段】
【０００６】
本発明に係るヒンジ装置は、スイベルヒンジ機構を介してスイベル方向に回動自在にベース板の上側に可動板を設け、チルトヒンジ機構を介してチルト方向に回動自在に前記可動板の上側に可動ブラケットを設けたものである。
【０００７】
このヒンジ装置では、ベース板を台座等に固定し、可動ブラケットを薄型表示装置などの支持対象物に固定して、該支持対象物をスイベル方向とチルト方向とに回動可能に支持することになるが、チルトヒンジ機構とスイベルヒンジ機構とが可動板を挟んで上下に配置されているので、ヒンジ装置を小型な横断面の柱状に構成することが可能となる。
【０００８】
ここで、前記スイベルヒンジ機構として、前記ベース板を貫通して下方へ延びる、可動板に設けたスイベル軸と、前記スイベル軸の下端のフランジ部と可動板間に介装され、前記スイベル軸を中心とした可動板の回動操作に操作抵抗を付与する第１バネ部材とを備えたものを用い、前記チルトヒンジ機構として、１対の縦壁部を背中合わせにして可動板上に固定される固定ブラケットと、前記固定ブラケットの縦壁部の両側に配置される１対の縦壁部を有する可動ブラケットと、前記固定ブラケットの縦壁部と前記可動ブラケットの縦壁部とを挿通するチルト軸と、前記チルト軸の少なくとも一端のフランジ部と可動ブラケットの縦壁部間に介装され、前記可動ブラケットの回動操作に操作抵抗を付与する第２バネ部材とを備えたものを用いることが好ましい実施の形態である。この場合には、第１バネ部材により可動板のスイベル方向への回動操作に操作抵抗が付与されて、スイベル方向に回動操作した位置に支持対象物を保持でき、また第２バネ部材により可動ブラケットのチルト方向への回動操作に操作抵抗が付与されて、チルト方向に回動操作した位置に支持対象物を保持できることになる。また、スイベルヒンジ機構では、可動板に作用する荷重の大部分をベース板で受圧できるので、比較的容易に機械的強度を確保でき、しかも可動板と、上下方向のスイベル軸と、スイベル軸に外装された第１バネ部材とを主体として構成できるので、水平方向に小型に構成でき、またチルトヒンジ機構は、背中合わせに配置した固定ブラケットの１対の縦壁部の両側に、可動ブラケットの１対の縦壁部を配置させて、両縦壁部をチルト軸で連結しているので、機械的強度を十分に確保しつつ水平方向に小型に構成できる。このため、このヒンジ装置では、機械的強度を十分に確保しつつ、ヒンジ装置全体を小型な横断面の柱状に構成することができる。
【０００９】
前記ベース板と可動板とを略同径の円板状に形成し、前記可動板に対する固定ブラケットの取付部を可動板と略同径或いはやや小径の半円板状に形成することも好ましい実施の形態である。この場合には、ヒンジ装置を小径な円柱状に構成することができる。例えば、４０〜５５インチの液晶テレビを直径４３ｍｍの小径な円柱状のヒンジ装置で支持することが可能となる。
【００１０】
前記可動ブラケットの縦壁部の下端部に、前記可動板に対する固定ブラケットの取付部の上面に当接して、前記チルト軸を中心とした可動ブラケットの回動範囲を規制する規制部を形成することも好ましい実施の形態である。この場合には、可動ブラケットのチルト方向への回動範囲を、簡単な構成の規制部を設けることで、容易に且つ精度良く設定することが可能となる。
【００１１】
前記可動板とベース板の一方にスイベル軸を中心とした一定角度の範囲にわたる規制孔を形成し、他方に規制孔に挿入される係止突起を形成することもできる。この場合には、可動板及びベース板のプレス成形時に規制孔及び係止突部を同時成形することで、製作コストの上昇を招くことなく、支持対象物のスイベル方向に対する回動可能な角度範囲を適正に設定できる。
【００１２】
前記チルト軸を固定ブラケットの縦壁部に相対回転不能に挿通するとともに、前記可動ブラケットの縦壁部に相対回転自在に挿通し、前記チルト軸の両端部のフランジ部と可動ブラケット間に、前記チルト軸に対して相対回転不能に座金をそれぞれ介装することもできる。この場合には、可動ブラケットの縦壁部の両側にチルト軸を介して相対回転不能な固定ブラケットと座金が配置されるので、可動ブラケットのチルト方向に対する操作抵抗を大きく設定して、大型な大重量の支持対象物でもチルト操作した位置に安定性良く保持できる。
【００１３】
前記固定ブラケットの縦壁部と可動ブラケットの縦壁部とに、相互に凹凸嵌合する環状突部と環状凹部をチルト軸と同心状にプレス成形により形成することが好ましい実施の形態である。この場合には、固定ブラケット及び可動ブラケットの製作コストの上昇を招くことなく、環状突部と環状凹部との凹凸嵌合により、両者の組付け精度を格段に向上できる。
【００１４】
前記固定ブラケット及び可動ブラケットを縦壁部と取付部とを有するＬ字状に形成し、前記固定ブラケットの取付部と、前記可動ブラケットの取付部間に、前記チルト軸の端部を覆うように合成樹脂材料からなるガタ防止用のホルダ部材を設けることもできる。この場合には、可動ブラケットの左右方向への倒れをホルダ部材により受け止めて、支持対象物の左右両側の上下方向へのガタを効果的に防止できる。
【発明の効果】
【００１５】
本発明に係るヒンジ装置によれば、ベース板を台座等に固定し、可動ブラケットを薄型表示装置などの支持対象物に固定して、該支持対象物をスイベル方向とチルト方向とに回動可能に支持することになるが、チルトヒンジ機構とスイベルヒンジ機構とが可動板を挟んで上下に配置されているので、ヒンジ装置を小型な横断面の柱状に構成することが可能となる。
【図面の簡単な説明】
【００１６】
【図１】表示装置の斜視図
【図２】ヒンジ装置の分解斜視図
【図３】ヒンジ装置のチルトヒンジ機構の分解斜視図
【図４】ヒンジ装置の縦断面図
【図５】チルト方向の作動説明図
【図６】（ａ）（ｂ）はスイベル方向の作動説明図
【発明を実施するための形態】
【００１７】
以下、本発明を実施するための形態について、図面を参照しながら説明する。本実施例は、液晶テレビをチルト方向及びスイベル方向に回動自在に支持するためのヒンジ装置に本発明を適用した場合のものである。
【００１８】
図１〜図６に示すように、液晶テレビ１は、テレビ本体２と、平板状の脚部プレート３と、脚部プレート３の略中央部に立設固定したテレビ本体２の脚部を兼ねる円柱状のヒンジ装置４とを備えている。ヒンジ装置４の上部にはチルトヒンジ機構３０とスイベルヒンジ機構２０とが上下に設けられ、テレビ本体２は、ヒンジ装置４のチルトヒンジ機構３０を介してチルト方向Ｔに対して一定角度の範囲内で回動自在に支持されるとともに、ヒンジ装置４のスイベルヒンジ機構２０を介してスイベル方向Ｓに対して一定角度の範囲内で回動自在に支持されている。
【００１９】
テレビ本体２は、通常の構成の例えば４０〜５５インチの大画面の大型液晶テレビで構成されている。但し、本発明のヒンジ装置４は、任意の大きさの液晶テレビに対しても適用できるし、液晶テレビ１以外に、プラズマテレビなどの薄型表示装置や掲示板や白板や鏡等を支持するためのヒンジ装置に対しても適用できる。
【００２０】
ヒンジ装置４について説明すると、ヒンジ装置４の下半部には略円筒状のスペーサ部材１０が設けられ、スペーサ部材１０の下端部には略円板状の下面板１１が複数のビス１２で固定され、下面板１１には下方へ突出する１対のフック部１１ａが設けられ、ヒンジ装置４は、その下端部を脚部プレート３の中央部に凹設した下部取付孔３ａに嵌合させて、フック部１１ａを下部取付孔３ａの底壁に形成した図示外の凹部に係合させ、ヒンジ装置４の下面板１１を脚部プレート３の底板にビス止めすることで、脚部プレート３に立設固定されている。なお、符号１１ｂは、下面板１１をスペーサ部材１０に対して周方向に位置決めするために、下面板１１の上面に突出形成した位置決め突起である。
【００２１】
スペーサ部材１０の上面にはスペーサ部材１０よりもやや小径の円板状のベース板１３が複数のビス１４で固定されている。ベース板１３にはスペーサ部材１０よりもやや小径の略円筒状のカバー部材１５が外嵌され、カバー部材１５の下端部には内側へ延びるリング部１５ａが形成され、カバー部材１５は、リング部１５ａをベース板１３とスペーサ部材１０間に挟持することでベース板１３及びスペーサ部材１０に固定されている。なお、符号１３ａは、ベース板１３をスペーサ部材１０に対して周方向に位置決めするために、ベース板１３の下面に突出形成した位置決め突起である。
【００２２】
下面板１１とスペーサ部材１０とカバー部材１５には意匠性を向上するための下部装飾カバー１６が外装され、カバー部材１５の上端部には外方へ突出する鍔部１５ｂが形成され、下面板１１とスペーサ部材１０とカバー部材１５とは鍔部１５ｂを下部装飾カバー１６の上端部に係合させることで、下部装飾カバー１６に対して軸方向（上下方向）に位置決めされている。
【００２３】
ベース板１３の上側にはスイベルヒンジ機構２０を介してスイベル方向Ｓに回動自在な円板状の可動板２１が設けられ、可動板２１の上側にはチルトヒンジ機構３０を介して可動ブラケット３１がチルト方向Ｔに回動自在に設けられている。可動ブラケット３１の上端部には円板状の上面板３２が固定され、ヒンジ装置４の上部には、上面板３２とチルトヒンジ機構３０とスイベルヒンジ機構２０の上部を覆うように上面を有する円筒状の上部装飾カバー１７が下部装飾カバー１６に連なって外装されている。図１に示すように、液晶テレビ１の後面下部には取付部材５が後方へ突出状に設けられ、取付部材５には下側へ向けて開口する上部取付孔５ａが形成され、テレビ本体２は、上部取付孔５ａにヒンジ装置４の上端部を嵌合して、上部取付孔５ａの上板に上面板３２をビス止めすることで、ヒンジ装置４に縦向きに支持されている。
【００２４】
スイベルヒンジ機構２０について説明すると、ベース板１３の中央部には貫通孔１３ｂが形成され、ベース板１３の上側には可動板２１が回動自在に設けられ、可動板２１の中央部にはベース板１３の貫通孔１３ｂを挿通して下方へ延びるスイベル軸２２が固着されている。スイベル軸２２の上端近傍部にはベース板１３の貫通孔１３ｂに回転自在に内嵌される鍔部２２ａが一体的に形成され、スイベル軸２２は、可動板２１の中央部に形成した貫通孔２１ａにスイベル軸２２の上端部を嵌合させた状態で、スイベル軸２２の上端部をかしめることで、可動板２１に相対回転不能に固定されている。
【００２５】
可動板２１にはスイベル軸２２を中心とした一定角度の範囲にわたって１対の規制孔２１ｂが形成され、ベース板１３には規制孔２１ｂに沿って移動自在な１対の係止突起１３ｃが形成され、可動板２１は、スイベル軸２２を中心としたスイベル方向Ｓに対して一定角度の範囲にわたって相対回転自在にベース板１３に組み付けられている。
【００２６】
鍔部２２ａはベース板１３よりもやや薄肉に構成され、ベース板１３とスイベル軸２２の下端のかしめ部２２ｂ間においてスイベル軸２２には２枚の座金２３とウェブスプリングからなる１枚の第１バネ部材２４とが交互に外装されている。スイベル軸２２は断面略小判型に形成され、座金２３には小判型の貫通孔２３ａが形成され、第１バネ部材２４の中央部には丸孔からなる貫通孔２４ａが形成され、スイベル軸２２は座金２３に相対回転不能に挿通されるとともに、第１バネ部材２４に相対回転自在に挿通されている。
【００２７】
スイベルヒンジ機構２０は、ベース板１３及びカバー部材１５を複数のビス１４でスペーサ部材１０の上端部に固定してから、スイベル軸２２を上側からベース板１３に挿通させて、ベース板１３上に可動板２１を載置し、この状態で、２枚の座金２３と第１バネ部材２４とを下側からスイベル軸２２に外嵌させて、スイベル軸２２の下端部をかしめることで、ベース板１３に組み付けられている。そして、このようにスイベルヒンジ機構２０を組み付けた状態で、上側の座金２３と可動板２１間に第１バネ部材２４の付勢力でベース板１３が挟持され、可動板２１に対してスイベル方向Ｓへの一定の操作抵抗が付与されるように構成されている。
【００２８】
チルトヒンジ機構３０について説明すると、可動板２１の上側には縦壁部３３ａと取付部３３ｂとを有する略Ｌ字状の１対の固定ブラケット３３が設けられている。固定ブラケット３３の取付部３３ｂには下方へ突出する位置決め突部３３ｃが形成され、可動板２１の上面には１対の位置決め凹部２１ｃが形成され、固定ブラケット３３は、位置決め突部３３ｃを可動板２１の位置決め凹部２１ｃに嵌合させるとともに、縦壁部３３ａを背中合わせに重ね合わせた状態で、取付部３３ｂを２本のリベット３４により可動板２１の上面にそれぞれ固定することで、可動板２１の上側に固定されている。
【００２９】
固定ブラケット３３の縦壁部３３ａの両側には、縦壁部３１ａと取付部３１ｂとを有する略Ｌ字状の１対の可動ブラケット３１が、縦壁部３１ａを固定ブラケット３３の縦壁部３３ａの両側に重ね合わせて設けられている。固定ブラケット３３の縦壁部３３ａの中央部には小判型の固定挿通孔３３ｄが形成され、可動ブラケット３１の縦壁部３１ａの中央部には丸孔からなる可動挿通孔３１ｃが形成され、固定挿通孔３３ｄを相対回転不能に挿通するとともに可動挿通孔３１ｃを相対回転自在に挿通するようにチルト軸３５が設けられている。チルト軸３５の右端部にはフランジ部３５ａが一体的に形成され、フランジ部３５ａと右側の可動ブラケット３１の縦壁部３１ａ間においてチルト軸３５には座金３６とウェブワッシャからなる第２バネ部材３７が外嵌され、チルト軸３５の左端部に鍔状のかしめ部３５ｂが一体的に形成され、かしめ部３５ｂと左側の可動ブラケット３１の縦壁部３１ａ間においてチルト軸３５には２枚の座金３６が外嵌されている。座金３６には小判型の貫通孔３６ａが形成され、第１バネ部材２４の中央部には丸孔からなる貫通孔３７ａが形成され、チルト軸３５は、座金３６に相対回転不能に挿通されるとともに、第１バネ部材２４に相対回転自在に挿通されている。左右の可動ブラケット３１は、その縦壁部３１ａが、第２バネ部材３７により、座金３６と固定ブラケット３３の縦壁部３３ａ間に挟持されることによって、可動ブラケット３１に対してチルト方向Ｔへの一定の操作抵抗が付与されるように構成されている。
【００３０】
３枚の座金３６と両可動ブラケット３１の縦壁部３１ａと両固定ブラケット３３の縦壁部３３ａの一方の面には環状突部３６ｂ、３１ｄ、３３ｅがチルト軸３５と同心状に突出形成され、他方の面には位置決め突部に嵌合する環状凹部３６ｃ、３１ｅ、３３ｆが凹設されている。３枚の座金３６と２枚の固定ブラケット３３と２枚の可動ブラケット３１とは、環状突部３６ｂ、３１ｄ、３３ｅを環状凹部３６ｃ、３１ｅ、３３ｆに嵌合させることで、精度良くチルト軸３５に組み付けられている。
【００３１】
可動ブラケット３１の縦壁部３１ａの下端部には、固定ブラケット３３の取付部３３ｂの上面に係合して、チルト軸３５を中心とした可動ブラケット３１の回動を規制する前部規制部３１ｆと後部規制部３１ｇとが形成されている。
【００３２】
可動ブラケット３１の上側には略円板状の上面板３２が設けられ、可動ブラケット３１の取付部３１ｂの上面には位置決め凹部３１ｈが形成され、上面板３２の下面には下方へ突出する１対の位置決め突部（図示略）が形成され、上面板３２は、位置決め突部を可動ブラケット３１の位置決め凹部３１ｈに嵌合させて、４本のビス３８により可動ブラケット３１の取付部３１ｂに位置決め固定されている。
【００３３】
このチルトヒンジ機構３０を組み立てる際には、可動板２１に固定ブラケット３３をリベット３４で固定した後、固定ブラケット３３の縦壁部３３ａに可動ブラケット３１の縦壁部３１ａを重ね合わせるとともに、座金３６及び第２バネ部材３７を重ね合わせ、この状態でチルト軸３５を縦壁部３１ａ、３３ａと座金３６と第２バネ部材３７に挿通させて、チルト軸３５の端部をかしめて、これらの部材を一体化させ、その後可動ブラケット３１の取付部３１ｂに上面板３２を載置して、チルト機構３０及び上面板３２を覆うように上部装飾カバー１７が外嵌させた状態で、上部装飾カバー１７及び上面板３２を４本のビス３８で可動ブラケット３１の取付部３１ｂに固定して組み立てることになる。
【００３４】
固定ブラケット３３の取付部３３ｂと可動ブラケット３１の取付部３１ｂ間には、チルト軸３５の端部を覆うように合成樹脂材料からなるガタ防止用の左右１対のホルダ部材３９が設けられている。ホルダ部材３９の下面中央部には固定ブラケット３３の取付部３３ｂに圧接される突起３９ａが形成され、ホルダ部材３９の素材の弾性により可動ブラケット３１の取付部３１ｂを上側に押すことで、可動ブラケット３１の左右方向への倒れ、即ちテレビ本体２の左右両端部の上下方向へのガタを防止することができる。ただし、このホルダ部材３９は省略することも可能である。
【００３５】
このヒンジ装置４では、テレビ本体２をスイベル方向Ｓに手で操作すると、チルトヒンジ機構３０とともに可動板２１がスイベル軸２２を中心として回動して、テレビ本体２がスイベル方向Ｓに回動し、所望のスイベル位置で手を放すと、座金２３及び可動板２１と、その間に挟持されるベース板１３との摩擦抵抗により、該所望のスイベル位置にテレビ本体２が保持されることになる。一方、テレビ本体２をチルト方向Ｔに手で操作すると、上面板３２とともに可動ブラケット３１がチルト軸３５を中心として回動して、テレビ本体２がチルト方向Ｔに回動し、所望のチルト位置で手を放すと、座金３６及び固定ブラケット３３の縦壁部３３ａと、その間に挟持される可動ブラケット３１の縦壁部３１ａとの摩擦抵抗により、該所望のチルト位置にテレビ本体２が保持されることになる。
【００３６】
このヒンジ装置４では、チルトヒンジ機構３０とスイベルヒンジ機構２０とが可動板２１を挟んで上下に配置されているので、ヒンジ装置４を小型な横断面の円柱状に構成することが可能となる。具体的には、４０〜５５インチの大画面の大型液晶テレビ１を直径４３ｍｍの小径な円柱状のヒンジ装置４で支持することが可能となる。特に、チルトヒンジ機構３０の１対の固定ブラケット３３をL字状に形成し、縦壁部３３ａを背中合わせに重ね合わせて可動板２１に組み付け、固定ブラケット３３の縦壁部３３ａの両側に縦壁部３１ａを重ね合わせて可動ブラケット３１を設けることで、チルトヒンジ機構３０を左右方向に小型に構成しつつ、その強度剛性を十分に確保できる。
【符号の説明】
【００３７】
１      液晶テレビ          ２      テレビ本体
３      脚部プレート        ３ａ    下部取付孔
４      ヒンジ装置          ５      取付部材
５ａ    上部取付孔
１０    スペーサ部材        １１    下面板
１１ａ  フック部            １１ｂ  位置決め突起
１２    ビス                １３    ベース板
１３ａ  位置決め突起        １３ｂ  貫通孔
１３ｃ  係止突起            １４    ビス
１５    カバー部材          １５ａ  リング部
１５ｂ  鍔部                １６    下部装飾カバー
１７    上部装飾カバー
２０    スイベルヒンジ機構  ２１    可動板
２１ａ  貫通孔              ２１ｂ  規制孔
２１ｃ  位置決め凹部        ２２    スイベル軸
２２ａ  鍔部                ２２ｂ  かしめ部
２３    座金                ２３ａ  貫通孔
２４    第１バネ部材        ２４ａ  貫通孔
３０    チルトヒンジ機構    ３１    可動ブラケット
３１ａ  縦壁部              ３１ｂ  取付部
３１ｃ  可動挿通孔          ３１ｄ  環状突部
３１ｅ  環状凹部            ３１ｆ  前部規制部
３１ｇ  後部規制部          ３１ｈ  位置決め凹部
３２    上面板
３３    固定ブラケット      ３３ａ  縦壁部
３３ｂ  取付部              ３３ｃ  位置決め突部
３３ｄ  固定挿通孔          ３３ｅ  環状突部
３３ｆ  環状凹部
３４    リベット            ３５    チルト軸
３５ａ  フランジ部          ３５ｂ  かしめ部
３６    座金                ３６ａ  貫通孔
３６ｂ  環状突部            ３６ｃ  環状凹部
３７    第２バネ部材        ３７ａ  貫通孔
３８    ビス                ３９    ホルダ部材
３９ａ  突起
【図１】
2012018251.tif 000003
【図２】
2012018251.tif 000004
【図３】
2012018251.tif 000005
【図４】
2012018251.tif 000006
【図５】
2012018251.tif 000007
【図６】
2012018251.tif 000008